【手続補正書】
【提出日】平成18年3月31日(2006.3.31)
【手続補正１】
【補正対象書類名】特許請求の範囲
【補正対象項目名】全文
【補正方法】変更
【補正の内容】
【特許請求の範囲】
【請求項１】
連続して移動する第二層を備えた連続して移動する第一層に、制御された状態で位置合わせするための方法であって、
一定の機械参照信号と位置合わせされた関係にある、複数の第一反復参照記号により表わされた反復機械製品長さを持つ、連続して移動する第一層を準備し、
前記反復機械製品長さより大きく、複数の第二反復参照記号により表わされる初期反復長さを持つ、連続して移動する第二層を準備し、
各々の前記第二参照記号を感知し、それに応じて参照記号信号を生成し、
２つの前後する第二反復参照記号信号の間の距離を計測し、プログラムされた指示に従って反復訂正制御信号を生成し、
コンベヤベルトおよびロールの少なくとも１つを含む微少クレープ加工装置に前記第二層を通し、前記第二層が前記第一層上に移送されると微少クレープ加工され、生成された反復訂正制御信号に応じて２つの前後する第二参照記号の間の距離を調整し、連続して移動する前記第二層が反復最終長さを持つようにし、
前記連続して移動する第二層の第二参照記号を、対応する機械一定参照信号との関係で感知し、プログラムされた指示に従って配置訂正制御信号を生成し、
前記連続して移動する第一層上に対応する第一参照記号を備えた前記連続して移動する第二層上に、制御された状態で第二参照記号を位置合わせするために、生成した配置訂正制御信号に応じて前記連続して移動する第二層の速度を調整し、
前記連続して移動する第一層と前記連続して移動する第二層とを重ねる、
段階を含むことを特徴とする方法。
【請求項２】
前記連続して移動する第一層を前記連続して移動する第二層上に積層し、
第一反復参照記号及び前記第二反復参照記号を感知し、
予めプログラムされた指示に対して、前記第一反復参照記号と前記反復参照記号を比較し、
制御地点を発生し、
生成した制御地点と配置制御部設定点を比較し、
配置制御部設定点が生成した制御点と異なる時、前記プログラムされた指示を、配置訂正制御のために新しい制御点に変更する、
段階を更に含むことを特徴とする請求項１に記載の方法。
【請求項３】
前記生成した反復訂正制御信号の段階は、生成した微小クレープ加工反復訂正制御信号を含むことを特徴とする請求項１に記載の方法。
【請求項４】
生成した反復訂正制御信号に応じて２つの前後する第二参照記号の間の前記距離を調整する前記段階は、前記第二層を位置合わせロールに通して動かすことを含むことを特徴とする請求項１に記載の方法。
【請求項５】
前記コンベヤベルトは、前記連続して移動する第二層を供給する駆動ロールの速度とは異なる速度を持つことを特徴とする請求項１に記載の方法。
【請求項６】
前記コンベアベルトは、前記駆動ロールの速度より遅い速度であることを特徴とする請求項５に記載の方法。
【請求項７】
前記第二層の前記反復最終長さは、前記反復機械製品長さに対応することを特徴とする請求項１に記載の方法。
【請求項８】
前記連続して移動する第一層と前記連続して移動する第二層とを重ねる前に、材料の第三層が前記第二層に積層されることを特徴とする請求項１に記載の方法。
【請求項９】
前記第二層はフィルムからなることを特徴とする請求項８に記載の方法。
【請求項１０】
前記第三層は不織ウエブからなることを特徴とする請求項８に記載の方法。
【請求項１１】
前記第二層および前記第三層は、液体不透過性外カバーを形成することを特徴とする請求項８に記載の方法。
【請求項１２】
連続して移動する第一層を連続して移動する第二層に制御された状態で位置合わせする方法であって、
複数の第一反復参照記号によって表わされた反復機械製品長さを持つ、連続して移動する第一層を準備し、
前記反復機械製品長さより大きく、複数の第二反復参照記号によって表わされる初期反復長さを持つ、連続して移動する第二層を準備し、
コンベヤベルト及びロールの少なくとも１つを含む微少クレープ加工装置に前記第二層を通し、前記第二層が前記第一層に重ねられると微少クレープ加工され、
各々の前記第二参照記号を感知し、それに応じて参照記号信号を生成し、
２つの前後する参照記号信号の間の距離を計測し、プログラムされた指示に従って反復訂正制御信号を生成し、
前記生成された反復訂正制御信号に応じて前記連続して移動する第二層を調整し、
前記連続して移動する第一層上の第一参照記号の位置及び前記連続して移動する第二層上の第二参照記号の位置に対応した標識パルスを感知し、プログラムされた指示に従って配置訂正制御信号を形成し、
前記連続して移動する第一層上の第一参照記号に応じて、標識パルスを備えた前記連続して移動する第二層上に第二参照記号を位置合わせし、
前記連続して移動する第一層と前記連続して移動する第二層を重ねる、
段階を含むことを特徴とする方法。
【請求項１３】
前記連続して移動する第一層を前記連続して移動する第二層上に積層し、
前記第一反復参照記号及び前記第二反復参照記号を感知し、
予めプログラムされた指示に対して、前記第一反復参照記号と前記第二反復参照記号を比較し、そして制御点を生成し、
前記生成した制御点と前記配置訂正制御信号を比較し、
前記配置訂正制御信号が生成された制御点と異なる時、プログラムされた指示を配置訂正制御のための新しい制御点に変更する、
段階を更に含むことを特徴とする請求項１２に記載の方法。
【請求項１４】
前記反復訂正制御信号を生成する段階は、生成された微小クレープ加工反復訂正制御信号を含むことを特徴とする請求項１２に記載の方法。
【請求項１５】
生成された反復訂正制御信号に応じて２つの前後する第二参照記号の間の距離を調整する前記段階は、前記第二層を、位置合わせロールに通して移動させることを特徴とする請求項１２に記載の方法。
【請求項１６】
第二層の反復最終長さは、前記第一層の反復機械製品長さに対応することを特徴とする請求項１２に記載の方法。
【請求項１７】
前記連続して移動する第一層と前記連続して移動する第二層とを重ねる前に、液体不透過性外カバーを形成するため、材料の第三層が前記第二層に積層されることを特徴とする請求項１２に記載の方法。
【請求項１８】
前記第二層は、フィルム不織ウエブ材料、複合体構造、被膜された不織ウエブ材料、又は弾性組立体を含むことを特徴とする請求項１７に記載の方法。
【請求項１９】
前記第三層は、不織ウエブ材料、複合体構造又は吸収性組立体を含むことを特徴とする請求項１７に記載の方法。
【請求項２０】
第一反復長さを持つ第一連続ウエブを、前記第一反復長さより長い第二初期反復長さを持つ第二連続ウエブに制御された状態で位置合わせする方法であって、
前記第一連続ウエブを前記第二連続ウエブに向かって移動させ、
真空コンベヤベルト及び真空ロールの少なくとも１つを含む微少クレープ加工装置に前記第二の連続ウェブを通し、前記第二連続ウェブが前記第一連続ウェブ上に移送されると微少クレープ加工され、
前記第二連続ウエブが前記第一反復長さと同じ最終反復長さを持つように前記第一連続ウエブを前記第二連続ウエブに合わせる、
段階を含むことを特徴とする方法。
【請求項２１】
第一連続ウエブを第二連続ウエブに制御された状態で位置合わせする方法であって、
反復機械製品長さを定める前記第一連続ウエブを、前記反復機械製品長さより大きい初期反復長さを持つ前記第二連続ウエブに向かって移動させ、
前記第二連続ウエブを前記反復機械製品長さと同じ最終反復長さに微小クレープ加工して、前記第一連続ウエブを前記第二連続ウエブに位置合わせし、前記第二連続ウェブが、真空コンベヤベルト及び真空ベルトの少なくとも１つを含む微少クレープ加工装置を通り、前記第二連続ウェブが前記第一連続ウェブに重ね合わされると微少クレープ加工され、
前記第一連続ウエブと前記第二連続ウエブを合わせる、
段階を含むことを特徴とする方法。